(57)【要約】【課題】  便蓋の上面の形状がシンプルにでき、かつ、洋風便器の構成部品の表面に傷をつけることなく、便蓋の回動する隙間に塵やゴミが入るのを防止できること。【解決手段】  便蓋２が開閉されるとき、後端ガイド３１及び後端ガイド移動子２３は、共同して便蓋２の後端の位置を制限し、便座固定側の後部装置収納部３のカバー体３５との間隔を狭くした状態で相対移動する。補助ガイド３２及び補助ガイド移動子２４は、後端ガイド３１及び後端ガイド移動子２３と共に、便座固定側に対する便蓋２に設けられた見かけ上の便蓋２の仮想的な回転軸位置を形成し、便蓋２の回動の基準位置となって便蓋２が回動する。便座１に軸支された便蓋２の略長さ方向に形成されたアームガイド４２に嵌合して、その範囲内を移動する便蓋２に設けられたアームガイド移動子２１はアームガイド４２と共に、便座１と便蓋２との相対移動を可能とする。【選択図】    図４
2007000385.tif 000002
【特許請求の範囲】
【請求項１】
対向する便座固定側と便蓋側との間において、一方側に形成した便蓋の後端との距離を定める後端ガイド、及び前記後端ガイドに嵌合し、その範囲内を移動する他方側に設けられた後端ガイド移動子と、
前記対向する便座固定側と便蓋側との間において、前記一方側に形成した前記便蓋の後端ガイドと共に前記便蓋の開度によって変化する仮想回転軸を形成する補助ガイド、及び前記補助ガイドに嵌合し、その範囲内を移動する前記他方側に設けられた補助ガイド移動子と、
前記便座固定側に軸支された便蓋の略長さ方向に形成されたアームガイド及び前記アームガイドに嵌合してその範囲内を移動し、前記便蓋の開度によって変化する仮想回転軸の位置によって変化する便蓋に設けられたアームガイド移動子と
を具備することを特徴とする人体局部洗浄装置用開閉機構。
【請求項２】
前記後端ガイド及び補助ガイドは、一体に連続して形成したことを特徴とする請求項１に記載の人体局部洗浄装置用開閉機構。
【請求項３】
対向する便座固定側と便蓋側との間において、一方側に設けた主ガイド移動子及び前記主ガイド移動子と嵌合して前記便蓋の後端との距離を定める他方側に設けた主ガイドと、
前記便座固定側に軸支された前記便蓋の略長さ方向に形成されたアームガイド及び前記アームガイドに嵌合してその範囲内を移動し、前記便蓋の開度によって変化する回転軸の位置を前記主ガイド移動子及び主ガイドと共に協調して変化する前記一方側に設けられたアームガイド移動子と
を具備することを特徴とする人体局部洗浄装置用開閉機構。
【請求項４】
対向する便座固定側と便蓋側との間において、一方側に形成した便蓋の位置を定めるカム及び前記カムと当接する他方側に設けた当接部と、
前記便座固定側に軸支された前記便蓋の略長さ方向に形成されたアームガイドと、前記アームガイドを収容し、前記便蓋の略長さ方向に相対移動自在に形成され、前記カム及び前記当接部と共に前記便蓋の開度によって変化する移動回転軸を形成する便蓋に設けられたアームガイド移動子と
を具備することを特徴とする人体局部洗浄装置用開閉機構。
【請求項５】
前記対向する便座固定側と便蓋側との間において、一方側を便座固定側、他方側を便蓋側としたことを特徴とする請求項１乃至請求項４の何れか１つに記載の人体局部洗浄装置用開閉機構。
【請求項６】
前記対向する便座固定側と便蓋側との間において、一方側を便蓋側、他方側を便座固定側としたことを特徴とする請求項１乃至請求項４の何れか１つに記載の人体局部洗浄装置用開閉機構。
【請求項７】
前記対向する便座固定側と便座側との間において、一方側を便座固定側、他方側を便座側としたことを特徴とする請求項１乃至請求項４の何れか１つに記載の人体局部洗浄装置用開閉機構。
【請求項８】
前記対向する便座固定側と便座側との間において、一方側を便座側、他方側を便座固定側としたことを特徴とする請求項１乃至請求項４の何れか１つに記載の人体局部洗浄装置用開閉機構。
【請求項９】
前記アームガイドの前記便座または前記便座に対する支軸は、ダンパーを内蔵した軸としたことを特徴とする請求項１乃至請求項８の何れか１つに記載の人体局部洗浄装置用開閉機構。
【発明の詳細な説明】
【技術分野】
【０００１】
本発明は、洋風便器に設置される人体局部洗浄装置用の便蓋、便座等の開閉機構に関するものであり、特に、便蓋または便座の開閉機構に塵やゴミが入ることを防止した人体局部洗浄装置用開閉機構に関するものである。
【背景技術】
【０００２】
洋風便器の後部に便座及び便蓋を起倒可能に取付け、便蓋の開閉機構に塵やゴミが入ることを防止した人体局部洗浄装置用開閉機構として、特許文献１の技術を挙げることができる。
【０００３】
図２０は従来の特許文献１に掲載の人体局部洗浄装置用開閉機構の斜視図である。図２１は従来の特許文献１に掲載の人体局部洗浄装置用開閉機構の要部断面図で、（ａ）は便蓋閉の状態、（ｂ）は便蓋開の状態である。
図において、便器１０の後部上面にロータンクカバー１１が配設され、このロータンクカバー１１に対し便座１と便蓋２とが開閉（起倒）自在に取り付けられている。また、便蓋２の後部の左右両側から後方に向かって１対の延出部２Ａが形成されている。ロータンクカバー１１の下部からは、この延出部２Ａ相互間に張り出す張り出し部１５が形成されている。この張り出し部１５の左右両側面に沿ってそれぞれ延出部２Ａが配置され、便蓋２は延出部２Ａと張り出し部１５との間に配設された回動軸１３を中心として開閉（起倒）方向に取り付けられている。
【０００４】
便蓋２の後縁部とロータンクカバー１１の張り出し部１５の前縁部との間、各延出部２Ａとロータンクカバー１１の張り出し部１５の左右両側面との間、並びに各延出部２Ａの後縁部とロータンクカバー１１の前面との間には、便蓋２の起倒を許容するように、所定の間隙が形成されている。そこで、便蓋２が倒伏した状態となっているとき、この間隙を上方から被うように、便蓋２の後部上面に化粧板１４が取り付けられている。
この化粧板１４は、便蓋２の後縁部と張り出し部１５の前縁部とに跨るように、両者間の間隙に沿って左右方向に延在した略長方形板状のものである。化粧板１４の左右両端部は、各延出部２Ａと張り出し部１５の左右両側面との間隙も上方から被っている。この化粧板１４の前縁部にはヒンジ１６が設けられており、このヒンジ１６を介して、化粧板１４は便蓋２の後部上面に対し上下方向に回動自在に取り付けられている。この化粧板１４の後縁部は張り出し部１５の上面に対し摺動自在に重なっている。
【０００５】
この化粧板１４は、便蓋２を倒伏状態から起立状態とするときには、この便蓋２の回動に伴い、化粧板１４の後縁部が張り出し部１５の上面に沿って後方に摺動し、前縁部のヒンジ１６を回動中心として便蓋２の上面から離反するように回動して便蓋２の起立を許容する。また、便蓋２を起立状態から倒伏状態としたときには、化粧板１４は便蓋２の回動に伴い、便蓋２を上方に回動させたときと逆の動作によって、便蓋２の後縁部と張り出し部１５の前縁部との間の間隙に被さる。
このように構成された人体局部洗浄装置用開閉機構においては、便蓋２が倒伏した状態となっているときには、便蓋２の後縁部と張り出し部１５の前縁部との間の間隙が化粧板１４によって被われ、この間隙に塵やゴミが入ることが防止される。
【特許文献１】特開２００４−１８０７３８
【発明の開示】
【発明が解決しようとする課題】
【０００６】
このように、特許文献１は、便蓋２の後縁部と張り出し部１５の前縁部との間の間隙が化粧板１４によって被われるから、間隙に塵やゴミが入ることが防止でき、実用的価値は非常に高い。しかしながら、便蓋２の回動に伴い、化粧板１４の後縁部がロータンクカバー１１の張り出し部１５の上面に沿って摺動するから、張り出し部１５の上面であるロータンクカバー１１の前面下部には、使用者が乱暴な扱いをした場合、線状の傷が付く可能性は払拭できない。万が一、傷がついた場合には、その見栄えが悪くなることが危惧される。
また、便蓋２の上面に化粧板１４を形成するものであるから、便蓋２との間に段差が必然的に形成される。かような段差の存在は、便蓋のデザインの自由度を制約するおそれなしとしない。
【０００７】
そこで、本発明はこれらの問題点を解消すべく、便蓋の上面の形状がシンプルにでき、かつ、便器の構成部品の表面に傷をつけることなく、便蓋の回動する隙間に塵やゴミが入るのを防止できる人体局部洗浄装置用開閉機構の提供を課題とするものである。
【課題を解決するための手段】
【０００８】
請求項１の人体局部洗浄装置用開閉機構は、便座固定側に形成した便蓋の後端との距離を定める後端ガイドと、前記後端ガイドに嵌合してその範囲内を移動する便蓋に設けられた後端ガイド移動子と、前記便座固定側に形成した前記便蓋の後端ガイドと共に前記便蓋の開度によって変化する仮想回転軸を形成する補助ガイドと、前記補助ガイドに嵌合してその範囲内を移動する前記便蓋に設けられた補助ガイド移動子と、前記便座固定側に軸支された便蓋の略長さ方向に形成されたアームガイドと、前記アームガイドに嵌合してその範囲内を移動する便蓋に設けられたアームガイド移動子を具備するものである。
ここで、上記後端ガイド及び後端ガイド移動子は、便蓋が開閉するとき、共同して便蓋の後端の位置を制限し、便座固定側との間隔を任意に狭く決定することができるように、相対移動できる構造であれば良い。また、上記補助ガイド及び補助ガイド移動子は、上記後端ガイド及び後端ガイド移動子と共に、便座固定側に対する便蓋に設けられた見かけ上の回転軸となり、便蓋の回動の基準位置となって変位する構造であればよい。
または、便座固定側に形成した後端ガイド及び補助ガイドと、便蓋側に設けられた後端ガイド移動子及び補助ガイド移動子は、逆に、便蓋側に形成した後端ガイド及び補助ガイドと、便座固定側に設けられた後端ガイド移動子及び補助ガイド移動子とすることができる。即ち、便座固定側と便蓋側は、逆の構成とすることができる。故に、対向する便座固定側と便蓋側との間において、一方側と他方側とに定義することができる。
また、上記便蓋の開閉に使用する便座固定側に形成した後端ガイド及び補助ガイドと便蓋側に設けられた後端ガイド移動子及び補助ガイド移動子は、便座側の開閉についても使用することができ、一方側を便座固定側、他方側を便座側または一方側を便座側、他方側を便座固定側とすることもできる。
なお、前記便座固定側に軸支された便蓋の略長さ方向に形成されたアームガイドに嵌合して、その範囲内を移動する便蓋に設けられたアームガイド移動子はアームガイドと共に、便座と便蓋との相対移動を可能とするものであればよい。
【０００９】
請求項２の人体局部洗浄装置用開閉機構の後端ガイド及び補助ガイドは、一体に連続して形成したものである。ここで、一体に連続とは、略く字状、略Ｌ字状、略Ｖ字状、略弧状とすることができる。
【００１０】
請求項３の人体局部洗浄装置用開閉機構は、便蓋側に設けた主ガイド移動子と、前記主ガイド移動子と嵌合して前記便蓋の後端との距離を定める便座固定側に設けた主ガイドと、前記便座固定側に軸支された前記便蓋の略長さ方向に形成されたアームガイドと、前記アームガイドに嵌合してその範囲内を移動する回転軸を形成する便蓋に設けられたアームガイド移動子を具備するものである。
ここで、便蓋側に設けた主ガイド移動子と、前記主ガイド移動子と嵌合して前記便蓋の後端との距離を定める便座固定側に設けた主ガイドとは、便座固定側に設けた主ガイド移動子と、前記主ガイド移動子と嵌合して前記便蓋の後端との距離を定める便蓋側に設けた主ガイドとすることができる。即ち、便座固定側と便蓋側は、逆の構成とすることができる。
また、主ガイドに嵌合してその範囲内を移動する主ガイド移動子と、アームガイドに嵌合してその範囲内を移動するアームガイド移動子とは、両者で便蓋の回動に伴って変化する回転軸を形成するものであり、その回転軸によって、便座固定側に形成した便蓋の後端との距離を狭く設定できればよい。
そして、上記便蓋の開閉に使用する主ガイド移動子と主ガイドは、便座側の開閉についても使用することができ、一方側を便座固定側、他方側を便座側または一方側を便座側、他方側を便座固定側とすることもできる。
【００１１】
請求項４の人体局部洗浄装置用開閉機構は、便座固定側に形成した便蓋の位置を定めるカムと、前記カムと当接する前記便蓋の裏面に形成した当接部と、前記便座固定側に軸支された前記便蓋の略長さ方向に形成されたアームガイドと、前記アームガイドを収容し、前記便蓋の略長さ方向に相対移動自在に形成され、便蓋に設けられたアームガイド移動子を具備するものである。
ここで、便座固定側に形成した便蓋の位置を定めるカムと、前記便座固定側に形成した前記カムと当接する便蓋の裏面に形成した当接部は、相対的変化によって変位する回転軸を形成すればよいので、両者は、便蓋側に形成したカムと、前記カムと当接する前記便座固定の裏面に形成した当接部とすることができる。即ち、便座固定側と便蓋側は、逆の構成とすることができる。
また、カムと当接する便蓋の裏面に形成した当接部は、便座固定側と便蓋の表面及び後端との距離を狭く設定できればよい。特に、便蓋の表面及び便蓋の後端部までの軌跡は、便座固定側と便蓋の表面及び後端との距離を狭く設定される。そして、カムと当接する便蓋の裏面に形成した当接部は、便蓋の裏面に形成した一部の面とすることができ、前記カムとの相対関係で便蓋の表面及び便蓋の後端部までの軌跡が決定されるから、当接部の形状は平面とすることもできる。
更に、上記便蓋の開閉に使用するカムと当接部は、便座側の開閉についても使用することができ、一方側を便座固定側、他方側を便座側または一方側を便座側、他方側を便座固定側とすることもできる。
【００１２】
請求項５の人体局部洗浄装置用開閉機構の前記対向する便座固定側と便蓋側との間において、一方側を便座固定側、他方側を便蓋側とすることができる。
【００１３】
請求項６の人体局部洗浄装置用開閉機構の前記対向する便座固定側と便蓋側との間において、一方側を便蓋側、他方側を便座固定側とすることができる。
【００１４】
請求項７の人体局部洗浄装置用開閉機構の前記対向する便座固定側と便座側との間において、一方側を便座固定側、他方側を便座側とすることができる。
【００１５】
請求項８の人体局部洗浄装置用開閉機構の前記対向する便座固定側と便座側との間において、一方側を便座側、他方側を便座固定側とすることができる。
【００１６】
請求項９の人体局部洗浄装置用開閉機構の前記アームガイドの前記便座または前記便蓋に対する支軸は、ダンパーを内蔵した軸としたものである。ここで、ダンパーを内蔵した軸とは、前記便座または前記便蓋が急激に閉じない程度に移動速度が制限できる機能を有するものであれば良い。
【発明の効果】
【００１７】
請求項１にかかる人体局部洗浄装置用開閉機構は、便蓋が開閉されるとき、後端ガイド及び後端ガイド移動子は、共同して便蓋の後端の位置を制限し、便座固定側との間隔を狭くした状態で相対移動する。また、補助ガイド及び補助ガイド移動子は、前記後端ガイド及び後端ガイド移動子と共に、便蓋の仮想的な回転軸位置を形成し、便蓋の仮想的回転軸が回動の基準位置となって便蓋が回動する。
そして、前記便座固定側に軸支された便蓋の略長さ方向に形成されたアームガイドに嵌合して、その範囲内を移動する便蓋に設けられたアームガイド移動子はアームガイドと共に、便座と便蓋との相対移動を可能とする。
したがって、便蓋は開閉されるとき、後端ガイド及び後端ガイド移動子が共同して便蓋の後端と便座固定側との間隔が狭い状態を保持しながら相対移動できるから、その間隙に塵やゴミが入ることが防止できる。また、従来例のように、間隔をカバーで覆うものではないので、ロータンクカバーの前面下部等の洋風便器の構成部品の表面に傷をつけることがなくなり、その見栄えを低下させることがない。また、便蓋上面にカバーを配設する必要がないから、デザイン自由度が高くなり、便蓋の上面の形状がシンプルにできる。
【００１８】
請求項２にかかる人体局部洗浄装置用開閉機構は、後端ガイド及び補助ガイドは、一体に連続して形成したものであるから、請求項１の効果に加えて、屈折部分を有するから金型が強靭になり、簡単に金型成形ができる。
【００１９】
請求項３にかかる人体局部洗浄装置用開閉機構は、主ガイドに嵌合してその範囲内を移動する主ガイド移動子と、アームガイドに嵌合してその範囲内を移動するアームガイド移動子とは、両者で便蓋の回動に伴って変化する仮想的な回転軸位置を形成し、その仮想的な回転軸位置によって、便座固定側に形成した便蓋の後端との距離を狭く設定しても、便蓋がスムーズに開閉できる。
したがって、請求項１と同様の効果に加えて、便蓋は開閉されるとき、主ガイドに嵌合してその範囲内を移動する主ガイド移動子とアームガイドに嵌合してその範囲内を移動するアームガイド移動子とが共同して、便蓋の後端と便座固定側との間隔が狭い状態を保持しながら相対移動できるから、その間隙に塵やゴミが入ることが防止できる。また、従来例のように、間隔をカバーで覆うものではないので、ロータンクカバーの前面下部等の洋風便器の構成部品の表面に傷をつけることがなくなり、その見栄えを低下させることがない。そして、便蓋上面にカバーを配設する必要がないから、デザイン自由度が高くなり、便蓋の上面の形状がシンプルにできる。
【００２０】
請求項４にかかる人体局部洗浄装置用開閉機構は、カムの外周及びそのカムの外周と当接する便蓋の裏面の当接部は、便座固定側と便蓋の表面及び便蓋の後端との距離を狭く設定した結果の軌跡から決定されるものであるから、便座固定側に形成した便蓋の後端との距離を狭く設定していても、便蓋がスムーズに開閉できる。
したがって、請求項１と同様の効果に加えて、便蓋は開閉されるとき、カムと当接部及びアームガイドとアームガイド移動子が共同して便蓋の後端と便座固定側である後部装置収納部のカバー体の側面との間隔が狭い状態を保持しながら相対移動できるから、その間隙に塵やゴミが入ることが防止できる。また、従来例のように、間隔を化粧板で覆うものではないので、ロータンクカバーの前面下部等の便器の構成部品の表面に傷をつけることがなくなり、その見栄えを低下させることがない。そして、便蓋上面に化粧板を配設する必要がないから、デザイン自由度が高くなり、便蓋の上面の形状がシンプルにできる。
【００２１】
請求項５にかかる人体局部洗浄装置用開閉機構の一方側に形成した後端ガイドと他方側に設けられた後端ガイド移動子、一方側に形成した補助ガイドと他方側に設けられた補助ガイド移動子、一方側に設けた主ガイド移動子と他方側に設けた主ガイドは、一方側を便座固定側、他方側を便蓋側とすることができ、一方側を便座固定側とし、他方側を便蓋側とした場合には、請求項１乃至請求項４の何れか１つに記載の効果に加えて、構成部品をコンパクトに組み付けることができる。
【００２２】
請求項６にかかる人体局部洗浄装置用開閉機構の一方側に形成した後端ガイドと他方側に設けられた後端ガイド移動子、一方側に形成した補助ガイドと他方側に設けられた補助ガイド移動子、一方側に設けた主ガイド移動子と他方側に設けた主ガイドは、一方側を便蓋側、他方側を便座固定側とすることができ、一方側を便座固定側とし、他方側を便蓋側とした場合には、請求項１乃至請求項４の何れか１つに記載の効果に加えて、構成部品を金属、合成樹脂等の専用部品として組み付けることができる。
【００２３】
請求項７にかかる人体局部洗浄装置用開閉機構の前記対向する便座固定側と便座側との間において、一方側を便座固定側、他方側を便座側とすることができ、請求項１乃至請求項４の何れか１つに記載の効果に加えて、便座についても、前記便座固定側と便座側との間隙に塵やゴミが入ることが防止できる。
【００２４】
請求項８にかかる人体局部洗浄装置用開閉機構の前記対向する便座固定側と便座側との間において、一方側を便座側、他方側を便座固定側とすることができ、請求項１乃至請求項４の何れか１つに記載の効果に加えて、便座についても、前記便座固定側と便座側との間隙に塵やゴミが入ることが防止できる。
【００２５】
請求項９にかかる人体局部洗浄装置用開閉機構の前記アームガイドの前記便座または前記便蓋に対する支軸は、ダンパーを内蔵した軸としたものであるから、請求項１乃至請求項４の何れか１つに記載の効果に加えて、ダンパーを内蔵しているから、前記便座または前記便蓋が急激に閉じることがなくなり、前記便座または前記便蓋の衝撃音が発生しない。
【発明を実施するための最良の形態】
【００２６】
次に、本発明の実施の形態の人体局部洗浄装置用開閉機構について、図を用いて説明する。なお、本実施の形態２以降において、実施の形態１と同一記号または同一符号は、上記実施の形態１と同一または相当する構成部分を示すものであるから、その詳細な説明を省略し、主に相違点のみ説明する。
［実施の形態１]
【００２７】
図１は本発明の実施の形態１の人体局部洗浄装置用開閉機構を示す便蓋の開放状態を示す便蓋の側面側から見た図、図２は本発明の実施の形態１の人体局部洗浄装置用開閉機構を示す便蓋の開放状態を示す便蓋の正面側から見た図である。また、図３は本発明の実施の形態１の人体局部洗浄装置用開閉機構を示す構成部品の要部展開正面図、図４は本発明の実施の形態１の人体局部洗浄装置用開閉機構を示す構成部品の要部展開斜視図である。そして、図５は本発明の実施の形態１の人体局部洗浄装置用開閉機構を示す便蓋の閉じた状態から開口する動作原理説明図、図６は本発明の実施の形態１の人体局部洗浄装置用開閉機構を示す便蓋の閉じた状態から便蓋の開口を広げる動作原理説明図、図７は本発明の実施の形態１の人体局部洗浄装置用開閉機構を示す便蓋を完全開放に至る動作原理説明図である。
【００２８】
図１及び図２において、人体局部洗浄装置２０は、便器１０（従来例参照）の上に載置される公知の装置である。３は人体局部洗浄装置２０の後部装置収納部である。便座１は後部装置収納部３に回動自在に取り付けられており、また、便蓋２は後方に延びた延出部２Ａによって便座１に回動自在に取り付けられている。後部装置収納部３は本実施の形態の便座固定側に該当するものである。この後部装置収納部３は、人体局部洗浄装置２０の形態によって、従来例で示したようにロータンクカバー１１の前面下部となり得る。したがって、それ形態によって異なる便座１及び便蓋２が回転自在に取り付けられる相手部材を総括して、便座固定側と呼ぶこととする。
なお、後部装置収納部３には、図示しない便座１のヒータ通電制御手段を構成する電気制御を含む電気制御基板ユニット、温水洗浄ノズル、温水洗浄ノズルに温水を供給する温水供給系ユニット、赤外線検出、超音波検出、押圧力検出等の検出手段を有する近接スイッチからなる着座検知手段が配設されている。これらは、何れも公知の構成であり、本願発明の要旨に直接関係がないから、ここでは、その詳細な説明を省略する。
【００２９】
図３乃至図７において、便座固定側としての後部装置収納部３のカバー体３５の側面には、便蓋２の後端との距離を定める後端ガイド３１及び便蓋２の後端ガイド３１と共に便蓋２の開度によって変化する仮想回転軸を形成する補助ガイド３２からなる断面凹溝としたＬ字状のＬガイド３３が形成されている。
また、便座固定側としての後部装置収納部３のカバー体３５の側面には、便座１が図示しないダンパーによって軸支されており、便座１の開放が滑らかとなり、また、閉じるときには便器１０との間に衝突が生じないように便座１が閉じる方には緩衝機能を持たせている。そして、その便座１の側面には、便座１自体が後部装置収納部３のカバー体３５の側面の図示しないダンパーによって軸支されている位置と略同一軸線上の位置から、前記ダンパー軸１８が外方向に突出している。
【００３０】
便座１に配設されたダンパー軸１８には、それに接続される軸部４１及び軸部４１と一体に形成され、便座１に軸支された便蓋２の略長さ方向に移動自在として取り付けられるアームガイド４２からなるアーム４が配設されている。本実施の形態のアームガイド４２は貫通した長穴となっている。
【００３１】
便蓋２の側面内側には、本実施の形態のアームガイド移動子２１としての円柱状の突起が一体成形または接合により設けられている。アームガイド移動子２１はアームガイド４２の貫通した長穴に挿入され、その長穴の範囲内で回動及び移動自在となっている。
また、便蓋２の後方（図３の便蓋２の下部）に延びた延出部２Ａは、その軸部分と共に後部装置収納部３のカバー体３５との間隔を決定する後部開口２５が形成されている。便蓋２の後部開口２５の両側には、取付部２２を介して一体に設けられた円柱状の２本の突起、即ち、後部装置収納部３のカバー体３５に形成した便蓋２の後部開口２５の後端との距離を定める後端ガイド３１に嵌合し、その範囲内を移動する後端ガイド移動子２３と、後部装置収納部３のカバー体３５に形成した便蓋２の後端ガイド３１と共に便蓋２の開度によって変化する仮想回転軸を形成する補助ガイド３２に嵌合して、その範囲内を移動する補助ガイド移動子２４が配設されている。
【００３２】
なお、本実施の形態では、便蓋２の後部開口２５の両側、即ち、後方に延びた延出部２Ａには取付部２２を介して後端ガイド移動子２３と補助ガイド移動子２４が配設されている。しかし、本発明を実施する場合には、便蓋２の後部開口２５の両側の厚みを厚くして、そこに後端ガイド移動子２３と補助ガイド移動子２４を形成してもよい。または、金属等の別部材を接合してもよい。
【００３３】
次に、本実施の形態１の人体局部洗浄装置用開閉機構を示す便蓋の閉じた状態から開口する動作原理について説明する。
図５（ａ）において、便蓋２が閉じた状態では、補助ガイド移動子２４は補助ガイド３２の最も前部位置で嵌合し、そこが回転軸となっており、後端ガイド移動子２３は後端ガイド３１に嵌合し、その範囲内の最上位置にある。また、アームガイド移動子２１はアームガイド４２の最もダンパー軸１８の軸芯方向にある。
図５（ｂ）に示すように、便蓋２が閉じた状態から若干浮き上がるとき、補助ガイド移動子２４は補助ガイド３２の最も前部位置にあり、そこが回転軸となって回動し、後端ガイド移動子２３は後端ガイド３１に嵌合した状態で下降を開始する。また、アームガイド移動子２１はアームガイド４２のダンパー軸１８の軸芯方向から若干離れる。
【００３４】
図５（ｃ）に示すように、便蓋２が閉じた状態から更に浮き上がるとき、補助ガイド移動子２４は補助ガイド３２の前部位置にあり、そこが回転軸となって回動し、後端ガイド移動子２３は後端ガイド３１に嵌合した状態で下降を開始する。したがって、後端ガイド移動子２３が後端ガイド３１に嵌合した状態で下降した距離に対応して、補助ガイド移動子２４は補助ガイド３２の前部位置から補助ガイド移動子２４から後端ガイド移動子２３の距離分だけ後退する。言い換えれば、このとき回転軸は、補助ガイド移動子２４ではなく、見かけ上の回転軸となり、現実の仮想回転軸は、補助ガイド移動子２４と後端ガイド移動子２３との距離間にある。それによって、アームガイド移動子２１はアームガイド４２のダンパー軸１８の軸芯方向から若干離れる。
【００３５】
図５（ｄ）、図６（ｅ）乃至図６（ｈ）に示すように、その後も便蓋２が更に浮き上がるとき、補助ガイド移動子２４と後端ガイド移動子２３との距離間にある仮想回転軸は、後端ガイド移動子２３が後端ガイド３１に嵌合した状態で更に下降を開始し、補助ガイド移動子２４は補助ガイド３２を後方に移動させた位置に移動し、そこが回転軸となって回動し、後端ガイド移動子２３は後端ガイド３１に嵌合した状態で下降する。したがって、後端ガイド移動子２３が後端ガイド３１に嵌合した状態で下降した距離に対応して、補助ガイド移動子２４は補助ガイド３２の前部位置から補助ガイド移動子２４から後端ガイド移動子２３の距離分だけ後退する。それに伴いアームガイド移動子２１はアームガイド４２のダンパー軸１８の軸芯方向から離れる。
【００３６】
図７（ｉ）に示すように、その後も便蓋２が更に浮き上がるとき、補助ガイド移動子２４と後端ガイド移動子２３との距離間にある仮想回転軸は、後端ガイド移動子２３が後端ガイド３１に嵌合した状態で更に下降を開始し、補助ガイド移動子２４は補助ガイド３２を後方に移動させた位置に移動し、そこが回転軸となって回動し、後端ガイド移動子２３は後端ガイド３１に嵌合した状態で下降し、後端ガイド３１の下端に到達する。したがって、後端ガイド移動子２３が後端ガイド３１に嵌合した状態で下降した距離に対応して、補助ガイド移動子２４は後端ガイド移動子２３の移動距離に応じて後退する。それに伴いアームガイド移動子２１はアームガイド４２のダンパー軸１８の軸芯方向から離れる。
【００３７】
図７（ｊ）及び図７（ｋ）に示すように、更にその後も便蓋２が開くと、補助ガイド移動子２４と後端ガイド移動子２３との距離間にあった仮想回転軸は、後端ガイド移動子２３が後端ガイド３２の下端にあることから、そこが回転軸になって回動し、補助ガイド移動子２４は補助ガイド３２を後方に移動する。それに伴いアームガイド移動子２１はアームガイド４２のダンパー軸１８の軸芯方向から離れる。この図７（ｋ）に示す状態を過ぎたとき、即ち、アームガイド移動子２１がダンパー軸１８の直上を通り過ぎた状態となったとき、便蓋２が開放状態を維持する。
【００３８】
本実施の形態１の人体局部洗浄装置用開閉機構は、便蓋２の後端ガイド移動子２３が後端ガイド３１を移動するから、便蓋２の後端及び後部開口２５の後端の位置が水平距離で殆ど変化せず、かつ、垂直方向についても補助ガイド３２によって任意に設定でき、便蓋２は開閉されるときの便蓋２の後端と便座固定側である後部装置収納部３のカバー体３５との間隔が狭い状態を保持しながら相対移動できるから、その間隙に塵やゴミが入ることが防止できる。
【００３９】
本実施の形態１の便座固定側としての後部装置収納部３のカバー体３５の側面には、便蓋２の後端との距離を定める後端ガイド３１と、便蓋２の後端ガイド３１と共に便蓋２の開度によって変化する仮想回転軸を形成する補助ガイド３２とを一体に形成した断面凹溝としたＬガイド３３として説明したが、本発明を実施する場合には、後端ガイド３１と補助ガイド３２の両者を後端ガイド移動子２３または補助ガイド移動子２４が通過するものではないので、独立に構成することができる。しかし、本実施の形態のように、Ｌガイド３３の形態とすると、金型として平板部分による成型よりも、安定した強度及び位置形成ができる。
【００４０】
このように、本実施の形態１の人体局部洗浄装置用開閉機構は、便座固定側に形成した便蓋２の後端との距離を定める後端ガイド３１と、後端ガイド３１に嵌合してその範囲内を移動する便蓋２に設けられた後端ガイド移動子２３と、便座固定側に形成した便蓋２の後端ガイド３１と共に便蓋２の開度によって変化する仮想回転軸を形成する補助ガイド３２と、補助ガイド３２に嵌合してその範囲内を移動する便蓋２に設けられた補助ガイド移動子２４と、便座１に軸支された便蓋２の略長さ方向に形成されたアームガイド４２と、アームガイド４２に嵌合してその範囲内を移動する便蓋２に設けられたアームガイド移動子２１を具備するものである。
【００４１】
ここで、後端ガイド３１及び後端ガイド移動子２３は、便蓋２が開閉するとき、共同して便蓋２の後端の位置を制限し、便座固定側の後部装置収納部３のカバー体３５との間隔を任意に狭く決定するように、相対移動できる構造であれば良い。また、補助ガイド３２及び２４は、後端ガイド３１及び後端ガイド移動子２３と共に、便座固定側に対する便蓋２に設けられた仮想回転軸となり、便蓋２の回動の基準位置となって変位する構造であればよい。
また、便座１に軸支された便蓋２の略長さ方向に形成されたアームガイド４２に嵌合して、その範囲内を移動する便蓋２に設けられたアームガイド移動子２１はアームガイド４２と共に、便座１と便蓋２との相対移動を可能とするものであればよい。
【００４２】
本実施の形態１の人体局部洗浄装置用開閉機構は、便蓋２が開閉されるとき、後端ガイド３１及び後端ガイド移動子２３は、共同して便蓋２の後端の位置を制限し、便座固定側の後部装置収納部３のカバー体３５との間隔を狭くした状態で相対移動する。また、補助ガイド３２及び補助ガイド移動子２４は、後端ガイド３１及び後端ガイド移動子２３と共に、便座固定側に対する便蓋２の仮想的な回転軸位置を形成し、便蓋２の回動の基準位置となって便蓋２を回動する。
そして、便座１に軸支された便蓋２の略長さ方向に形成されたアームガイド４２に嵌合して、その範囲内を移動する便蓋２に設けられたアームガイド移動子２１は、アームガイド４２と共に、便座１と便蓋２との相対移動を可能とする。
【００４３】
したがって、便蓋２が開閉されるとき、後端ガイド３１及び後端ガイド移動子２３が共同して便蓋２の後端と便座固定側の後部装置収納部３のカバー体３５との間隔が狭い状態を保持しながら相対的に変位できるから、その間隙に塵やゴミが入ることが防止できる。また、従来例のように、間隔を化粧板１４で覆うものではないので、ロータンクカバー１１の前面下部等の便器１０の構成部品の表面に傷をつけることがなくなり、その見栄えを低下させることがない。また、便蓋２上面に化粧板１４を配設する必要がないから、デザイン自由度が高くなり、便蓋の上面の形状がシンプルにできる。
なお、本実施の形態１の人体局部洗浄装置用開閉機構の後端ガイド３１及び補助ガイド３２は、一体に連続してＬガイド３３形成したものである。ここで、一体に連続とは、仮想回転軸によって略く字状、略Ｌ字状、略Ｖ字状、略弧状とすることができる。
［実施の形態２]
【００４４】
図８は本発明の実施の形態２の人体局部洗浄装置用開閉機構を示す便蓋の閉じた状態から開口する動作原理説明図、図９は本発明の実施の形態２の人体局部洗浄装置用開閉機構を示す便蓋の閉じた状態から便蓋の開口を広げる動作原理説明図、図１０は本発明の実施の形態２の人体局部洗浄装置用開閉機構を示す便蓋を完全開放に至る動作原理説明図である。
【００４５】
図８乃至図１０において、本発明の実施の形態１と本発明の実施の形態２の人体局部洗浄装置用開閉機構の相違点は、便座固定側としての後部装置収納部３のカバー体３５の側面には、便蓋２の後端との距離を定める断面凹溝とした主ガイド６１が形成されている。便蓋２の側面内側には、本実施の形態の主ガイド移動子７１としての円柱状の突起が一体成形または接合により設けられていて、主ガイド移動子７１は主ガイド６１に挿入され、その範囲内で移動自在となっている。
なお、この断面凹溝とした主ガイド６１は、上記実施の形態１における補助ガイド移動子２４と後端ガイド移動子２３との距離間にある仮想回転軸の軌跡と略同一に形成されたものである。
【００４６】
このように構成した本実施の形態２の人体局部洗浄装置用開閉機構は、図８乃至図１０のように動作することができる。
図８（ａ）において、便蓋２が閉じた状態では、主ガイド移動子７１は主ガイド６１の最も前部位置にあり、主ガイド移動子７１が回転軸となっている。また、アームガイド移動子２１はアームガイド４２の最もダンパー軸１８の軸芯方向にある。
図８（ｂ）に示すように、便蓋２が閉じた状態から若干浮き上がるとき、主ガイド移動子７１は主ガイド６１の最も前部位置にあり、そこが回転軸となって回動を開始する。また、アームガイド移動子２１はアームガイド４２のダンパー軸１８の軸芯方向から若干離れる。
【００４７】
図８（ｃ）に示すように、便蓋２が閉じた状態から更に浮き上がるとき、主ガイド移動子７１は主ガイド６１の前部位置にあり、そこが回転軸となって回動し、このとき回転軸は、主ガイド６１の領域を移動することなく、アームガイド移動子２１はアームガイド４２のダンパー軸１８の軸芯方向から若干離れる方向に移動する。
図８（ｄ）、図９（ｅ）に示すように、その後、便蓋２が更に浮き上がるとき、主ガイド移動子７１は主ガイド６１の前部位置にあり、そこが回転軸となって回動する。即ち、主ガイド移動子７１よりもアームガイド移動子２１の位置が低いから、便蓋２の重力ではアームガイド４２とアームガイド移動子２１との間には、滑りが発生していない。
【００４８】
図９（ｆ）乃至図１０（ｊ）に示すように、便蓋２が更に浮き上がるとき、主ガイド移動子７１よりもアームガイド移動子２１の位置が高くなり、便蓋２の重力も作用し、アームガイド４２とアームガイド移動子２１との間には滑りが発生する。
したがって、アームガイド移動子２１と主ガイド移動子７１との距離は設定された距離を堅持するから、主ガイド移動子７１は主ガイド６１の位置が回転軸となって回動する。
【００４９】
図１０（ｋ）に示すように、更にその後も便蓋２が開くとき、主ガイド移動子７１が主ガイド６１の最下端に移動し、そこで下降が停止され、主ガイド６１の下端の位置で主ガイド移動子７１を中心として回動し、アームガイド移動子２１がダンパー軸１８の直上を通り過ぎた状態で便蓋２が開放状態を維持する。
本実施の形態２の人体局部洗浄装置用開閉機構は、便座固定側の後部装置収納部３のカバー体３５に形成した便蓋２の後端との距離を定め、便蓋２に設けられた主ガイド移動子７１及び主ガイド移動子７１の移動範囲を決定すると共に移動回転軸を形成する主ガイド６１と、便蓋２に軸支された便蓋２の略長さ方向に形成されたアームガイド４２と、アームガイド４２に嵌合してその範囲内を移動し、便蓋２の開度によって変化する回転軸の位置を主ガイド移動子７１及び主ガイド６１と共に協調して変化する便蓋２に設けられたアームガイド移動子２１を具備するものである。
【００５０】
ここで、主ガイド６１に嵌合してその範囲内を移動する主ガイド移動子７１と、アームガイド４２に嵌合してその範囲内を移動するアームガイド移動子２１とは、両者で便蓋２の回動に伴って変化する仮想的な回転軸位置を形成し、その仮想的な回転軸位置によって、便座固定側の後部装置収納部３のカバー体３５に形成した便蓋２の後端との距離を狭く設定しても、便蓋２がスムーズに開閉できることになる。
【００５１】
したがって、上記実施の形態１の効果に加えて、便蓋２が開閉されるとき、主ガイド６１に嵌合してその範囲内を移動する主ガイド移動子７１と、アームガイド４２に嵌合してその範囲内を移動するアームガイド移動子２１とが共同して便蓋２の後端と便座固定側の後部装置収納部３のカバー体３５との間隔が狭い状態を保持しながら相対移動できるから、その間隙に塵やゴミが入ることが防止できる。また、従来例のように、間隔を化粧板１４で覆うものではないので、ロータンクカバー１１の前面下部等の便器１０の構成部品の表面に傷をつけることがなくなり、その見栄えを低下させることがない。そして、便蓋２上面に化粧板１４を配設する必要がないから、デザイン自由度が高くなり、便蓋２の上面の形状がシンプルにできる。
【００５２】
本実施の形態２の人体局部洗浄装置用開閉機構は、便蓋２の後端及び後部開口２５の後端の位置が水平距離で殆ど変化せず、かつ、垂直方向についても主ガイド６１によって任意に設定できるから、便蓋２は開閉されるときの便蓋２の後端と便座固定側の後部装置収納部３のカバー体３５との間隔が狭い状態を保持しながら相対移動できるから、その間隙に塵やゴミが入ることが防止できる。
【００５３】
ここで、便蓋２側に設けた主ガイド移動子７１と、主ガイド移動子７１と嵌合して便蓋２の後端との距離を定める便座固定側に設けた主ガイド６１とは、便座固定側に設けた主ガイド移動子７１と、主ガイド移動子７１と嵌合して便蓋２の後端との距離を定める便蓋２側に設けた主ガイド６１とすることができる。即ち、後部装置収納部３のカバー体３５の側面である便座固定側と便蓋２側は、逆の構成とすることができる。
【００５４】
また、主ガイド６１に嵌合してその範囲内を移動する主ガイド移動子７１と、アームガイド４２に嵌合してその範囲内を移動するアームガイド移動子２１とは、両者で便蓋２の回動に伴って変化するものであり、その移動する回転軸によって、後部装置収納部３のカバー体３５の側面である便座固定側に形成した便蓋２の後端との距離を狭く設定できればよい。
そして、上記便蓋２の開閉に使用する主ガイド移動子７１と主ガイド６１は、便座１側の開閉についても使用することができ、一方側を便座固定側である後部装置収納部３のカバー体３５の側面、他方側を便座１側または一方側を便座１側、他方側を便座固定側である後部装置収納部３のカバー体３５の側面とすることもできる。
【００５５】
［実施の形態３]
図１１は本発明の実施の形態３の人体局部洗浄装置用開閉機構を示す構成部品の要部展開斜視図、図１２は本発明の実施の形態３の人体局部洗浄装置用開閉機構を示す構成部品の要部展開正面図である。図１３は本発明の実施の形態３の人体局部洗浄装置用開閉機構を示す構成部品の展開説明図、図１４は本発明の実施の形態３の人体局部洗浄装置用開閉機構の便蓋閉の状態を示す構成部品の組み付け説明図、図１５は本発明の実施の形態３の人体局部洗浄装置用開閉機構の便蓋開閉の中間状態を示す構成部品の組み付け説明図、図１６は本発明の実施の形態３の人体局部洗浄装置用開閉機構の便蓋開の状態を示す構成部品の組み付け説明図である。
【００５６】
図１１乃至図１６において、本発明の実施の形態１及び実施の形態２と本発明の実施の形態３の人体局部洗浄装置用開閉機構の相違点は、便座１は後部装置収納部３に内蔵されたダンパーのダンパー軸３９に回動自在に取り付けられており、また、便蓋２は便座１に内蔵されたダンパーのダンパー軸１８に回動自在に取り付けられている。ダンパー軸３９とダンパー軸１８とは略同一軸線上の位置にある。
便座固定側としての後部装置収納部３のカバー体３５の側面には、便蓋２の後端との距離を定めるカム８１が凹部８１ａ、凸部８１ｂ、凹部８１ｃとして形成されている。また、便蓋２の裏面には、後部装置収納部３のカバー体３５に形成したカム８１の周囲と当接する当接部８２が凸部８２ａ、凹部８２ｂ、凸部８２ｃによって形成されている。
【００５７】
また、便蓋２の内側側面には、アームガイド移動子９０が設けられている。このアームガイド移動子９０は、便座１のダンパー軸１８に接続される軸部４１及び便座１に軸支された便蓋２の略長さ方向に取り付けられるアームガイド４２が形成されているアームガイド４２の長さ方向を収容する形態を有している。したがって、アームガイド移動子９０とアームガイド４２は、その長さ方向のみ相対移動可能である。
【００５８】
即ち、本実施の形態３は、実施の形態２の主ガイド６１の軌跡と、アームガイド４２の長溝に嵌合する主ガイド移動子７１の回転をなくし、相対往復運動に変換したために、便座固定側に形成した便蓋２の位置を定めるカム８１及び便座固定側に形成したカム８１と当接する便蓋２の裏面に形成した当接部８２の凸部８２ａ、凹部８２ｂ、凸部８２ｃによって、カム８１の凹部８１ａ、凸部８１ｂ、凹部８１ｃと当接する便蓋２の裏面に形成した当接部８２は、カム８１との相対関係で便蓋２の表面及び便蓋２の後端部までの軌跡が決定されるから、カム８１と当接部８２の形状はそれに応じて決定すればよい。
【００５９】
まず、全体的に動作を説明すると、カム８１の凹部８１ａと当接部８２の凸部８２ａは、図１４乃至図１６に示すように、図１４の便蓋２の閉の状態では、当接部８２の凸部８２ａがカム８１の凹部８１ａに当接し、図１５の便蓋２の開閉の中間状態のときには、当接部８２の凹部８２ｂがカム８１の凸部８１ｂに当接し、図１６の便蓋開の状態では、当接部８２の凸部８２ｃがカム８１の下端部８１ｃに収容した状態となる。
【００６０】
次に、本実施の形態３の人体局部洗浄装置用開閉機構を示す便蓋の閉じた状態から開口する動作原理について説明する。
図１７は本発明の実施の形態３の人体局部洗浄装置用開閉機構を示す便蓋の閉じた状態から開口にむかう動作原理説明図、図１８は本発明の実施の形態３の人体局部洗浄装置用開閉機構を示す便蓋の閉じた状態から便蓋の開口を広げる動作原理説明図、図１９は本発明の実施の形態３の人体局部洗浄装置用開閉機構を示す便蓋を完全開放に至る動作原理説明図である。
【００６１】
図１７（ａ）において、便蓋２が閉じた状態では、当接部８２の凸部８２ａがカム８１の凹部８１ａに当接し、そこが回転軸となって回動自在となっている。また、アームガイド移動子９０はアームガイド４２と深く結合し、アームガイド移動子９０は最もダンパー軸１８の軸芯方向にある。
図１７（ｂ）に示すように、便蓋２が閉じた状態から若干浮き上がるとき、当接部８２の凸部８２ａがカム８１の凹部８１ａに当接し、そこが回転軸となって回動する。また、アームガイド移動子９０はアームガイド４２と深く結合し、アームガイド移動子９０はダンパー軸１８の軸芯方向から若干離れた状態にある。
【００６２】
図１７（ｃ）、図１７（ｄ）に示すように、便蓋２が閉じた状態から更に浮き上がるとき、当接部８２の凸部８２ａがカム８１の凹部８１ａに当接した状態を維持し、そこが回転軸となって更に回動する。また、アームガイド移動子９０はアームガイド４２と結合状態下にあり、アームガイド移動子９０はダンパー軸１８の軸芯方向から更に、若干離れた状態になる。
図１８（ｅ）に示すように、便蓋２が閉じた状態から更に浮き上がるとき、当接部８２の凸部８２ａがカム８１の凹部８１ａに当接した状態を維持できなくなり、当接部８２の凸部８２ａがカム８１の凹部８１ａから浮き上がり、当接部８２の凹部８２ｂがカム８１の凸部８１ｂに当接した状態が発生する。そして、そこが回転軸となって回動する。即ち、回転軸の移動が行われる。また、アームガイド移動子９０はアームガイド４２と結合状態下にあり、アームガイド移動子９０はダンパー軸１８の軸芯方向から更に、図１７（ｄ）の状態よりも離れた状態になる。
【００６３】
図１８（ｆ）乃至図１８（ｈ）に示すように、その後も便蓋２が更に浮き上がるとき、当接部８２の凸部８２ａがカム８１の凹部８１ａを完全に浮き上がると共に、当接部８２の凹部８２ｂがカム８１の凸部８１ｂに当接した状態を維持しながら、当接部８２の凸部８２ａがカム８１の凸部８１ｂの周囲を回動する。そして、そこが回転軸となって、両者間の回転軸の移動が行われる。このとき、アームガイド移動子９０はアームガイド４２と結合状態下にあり、アームガイド移動子９０はダンパー軸１８の軸芯方向から更に、図１８（ｅ）の状態よりも順次離れた状態になる。当接部８２の凸部８２ａがカム８１の凸部８１ｂの周囲の位置と、アームガイド移動子９０はアームガイド４２と結合位置は、当接部８２の凹部８２ｂとカム８１の凸部８１ｂとの当接位置によって、その移動が特定される。
【００６４】
図１９（ｉ）及び図１９（ｊ）に示すように、更にその後も便蓋２が開くと、当接部８２の凹部８２ｂがカム８１の凸部８１ｂに当接した状態を維持しながら、当接部８２の凸部８２ａがカム８１の凸部８１ｂの周囲を回動し、そして、そこが回転軸となって、更に回転軸の移動がカム８１に沿って行われる。このとき、アームガイド移動子９０はアームガイド４２と結合状態下にあり、アームガイド移動子９０はダンパー軸１８の軸芯方向から更に、順次離れた状態になる。当接部８２の凸部８２ａがカム８１の凸部８１ｂの周囲の位置と、アームガイド移動子９０はアームガイド４２との結合位置は、当接部８２の凹部８２ｂとカム８１の凸部８１ｂとの当接位置によって、その移動が特定される。
【００６５】
図１９（ｋ）に示すように、更にその後も便蓋２が開くと、当接部８２の凸部８２ｃがカム８１の凸部８１ｂから凹部８１ｃの面に当接するから、当接部８２の凸部８２ａがカム８１の凸部８１ｂから浮き上がる。当接部８２の凸部８２ｃがカム８１の凸部８１ｂから凹部８１ｃの周囲を回動し、そして、そこが回転軸となって、更に回転軸の移動が行われる。このとき、アームガイド移動子９０はアームガイド４２と結合状態下にあり、アームガイド移動子９０はアームガイド４２と結合位置は、当接部８２の凸部８２ｃがカム８１の凹部８１ｃの周囲の当接位置によって、その移動が特定される。
なお、当接部８２の凸部８２ｃがカム８１の凹部８１ｃのみに当接するとき、便蓋２は開放状態を維持する。
【００６６】
本実施の形態３においては、便座固定側の後部装置収納部３のカバー体３５の側面に形成した便蓋２の位置を定めるカム８１及び便座固定側に形成したカム８１と当接する便蓋２の裏面に形成した当接部８２と、便座１に軸支された便蓋２の略長さ方向に形成されたアームガイド４２と、アームガイド４２を収容し、便蓋２の略長さ方向に相対移動自在に形成され、カム８１及び当接部８２と共に便蓋２の開度によって変化する回転軸を形成する便蓋２に設けられたアームガイド移動子９０とを具備するものである。
【００６７】
本実施の形態３の人体局部洗浄装置用開閉機構は、カム８１の外周及びそのカム８１の外周と当接する便蓋２の裏面の当接部８２は、便座固定側の後部装置収納部３のカバー体３５の側面と便蓋２の表面及び便蓋２の後端との距離を狭く設定した結果の軌跡から決定されるものであるから、便座固定側に形成した便蓋２の後端との距離を狭く設定していても、便蓋２がスムーズに開閉できる。
【００６８】
したがって、便蓋２は開閉されるとき、カム８１と当接部８２及びアームガイド４２とアームガイド移動子９０が共同して便蓋２の後端と便座固定側である後部装置収納部３のカバー体３５の側面との間隔が狭い状態を保持しながら相対移動できるから、その間隙に塵やゴミが入ることが防止できる。また、従来例のように、間隔を化粧板１４で覆うものではないので、ロータンクカバー１１の前面下部等の便器１０の構成部品の表面に傷をつけることがなくなり、その見栄えを低下させることがない。そして、便蓋２上面に化粧板１４を配設する必要がないから、デザイン自由度が高くなり、便蓋２の上面の形状がシンプルにできる。
【００６９】
ところで、便座固定側に形成した便蓋２の位置を定めるカム８１と、便座固定側に形成したカム８１と当接する便蓋２の裏面に形成した当接部８２は、相対的変化によって変位する移動回転軸を形成すればよいので、両者は、便蓋２側に形成したカム８１と、カム８１と当接する便座１固定の裏面に形成した当接部８２とすることができる。即ち、後部装置収納部３のカバー体３５の側面である便座固定側と便蓋２側は、逆の構成とすることができる。
【００７０】
また、カム８１と当接する便蓋２の裏面に形成した当接部８２は、便座固定側の後部装置収納部３のカバー体３５の側面と便蓋２の表面及び後端との距離を狭く設定できればよい。特に、便蓋２の表面及び便蓋２の後端部までの軌跡は、便座固定側と便蓋２の表面及び後端との距離を狭く設定される。そして、カム８１と当接する便蓋２の裏面に形成した当接部８２は、便蓋２の裏面に形成した一部の面とすることができ、カム８１との相対関係で便蓋２の表面及び便蓋２の後端部までの軌跡が決定されるから、当接部８２の形状は平面とすることもできる。
更に、便蓋２の開閉に使用するカム８１と当接部８２は、便座１側の開閉についても使用することができ、一方側を便座固定側の後部装置収納部３のカバー体３５の側面、他方側を便座１側または一方側を便座１側、他方側を便座固定側の後部装置収納部３のカバー体３５の側面とすることもできる。
【００７１】
なお、本実施の形態においては、アームガイド移動子９０はアームガイド４２を直線方向のみ相対移動自在とするように一面を残し略全体を覆っているが、本発明を実施する場合には、アームガイド４２の溝を直線方向のみ移動自在とする構成とすることができる。何れにせよ、本実施の形態３ではアームガイド４２の長さ方向のみ自在とする相対移動機構が構成できればよい。
【００７２】
加えて、アームガイド４２の便座１または便蓋２に対する支軸は、ダンパーを内蔵した軸としたものである。ここで、ダンパーを内蔵した軸とは、便座１または便蓋２が急激に閉じない程度に移動速度が制限できる機能を有するものであれば良い。
【産業上の利用可能性】
【００７３】
上記各実施の形態においては、便座１または便蓋２の開閉について説明したが、本発明を実施する場合には、人体局部洗浄装置に限定されるものではなく、開閉機構、起倒機構を有するもの、例えば、開閉扉等にも使用できる。また、本発明は、便座、便蓋が電動で開閉されるものにも適用できる。
【図面の簡単な説明】
【００７４】
【図１】図１は本発明の実施の形態１の人体局部洗浄装置用開閉機構を示す便蓋の開放状態を示す便蓋の側面側から見た図である。
【図２】図２は本発明の実施の形態１の人体局部洗浄装置用開閉機構を示す便蓋の開放状態を示す便蓋の正面側から見た図である。
【図３】図３は本発明の実施の形態１の人体局部洗浄装置用開閉機構を示す構成部品の要部展開正面図である。
【図４】図４は本発明の実施の形態１の人体局部洗浄装置用開閉機構を示す構成部品の要部展開斜視図である。
【図５】図５は本発明の実施の形態１の人体局部洗浄装置用開閉機構を示す便蓋の閉じた状態から開口する動作原理説明図である。
【図６】図６は本発明の実施の形態１の人体局部洗浄装置用開閉機構を示す便蓋の閉じた状態から便蓋の開口を広げる動作原理説明図である。
【図７】図７は本発明の実施の形態１の人体局部洗浄装置用開閉機構を示す便蓋を完全開放に至る動作原理説明図である。
【図８】図８は本発明の実施の形態２の人体局部洗浄装置用開閉機構を示す便蓋の閉じた状態から開口する動作原理説明図である。
【図９】図９は本発明の実施の形態２の人体局部洗浄装置用開閉機構を示す便蓋の閉じた状態から便蓋の開口を広げる動作原理説明図である。
【図１０】図１０は本発明の実施の形態２の人体局部洗浄装置用開閉機構を示す便蓋を完全開放に至る動作原理説明図である。
【図１１】図１１は本発明の実施の形態３の人体局部洗浄装置用開閉機構を示す構成部品の要部展開斜視図である。
【図１２】図１２は本発明の実施の形態３の人体局部洗浄装置用開閉機構を示す構成部品の要部展開正面図である。
【図１３】図１３は本発明の実施の形態３の人体局部洗浄装置用開閉機構を示す構成部品の展開説明図である。
【図１４】図１４は本発明の実施の形態３の人体局部洗浄装置用開閉機構の便蓋閉の状態を示す構成部品の組み付け説明図である。
【図１５】図１５は本発明の実施の形態３の人体局部洗浄装置用開閉機構の便蓋開閉の中間状態を示す構成部品の組み付け説明図である。
【図１６】図１６は本発明の実施の形態３の人体局部洗浄装置用開閉機構の便蓋開の状態を示す構成部品の組み付け説明図である。
【図１７】図１７は本発明の実施の形態３の人体局部洗浄装置用開閉機構を示す便蓋の閉じた状態から開口にむかう動作原理説明図である。
【図１８】図１８は本発明の実施の形態３の人体局部洗浄装置用開閉機構を示す便蓋の閉じた状態から便蓋の開口を広げる動作原理説明図である。
【図１９】図１９は本発明の実施の形態３の人体局部洗浄装置用開閉機構を示す便蓋を完全開放に至る動作原理説明図である。
【図２０】図２０は従来の特許文献１に掲載の人体局部洗浄装置用開閉機構の斜視図である。
【図２１】図２１は従来の特許文献１に掲載の人体局部洗浄装置用開閉機構の要部断面図で、（ａ）は便蓋閉の状態、（ｂ）は便蓋開の状態である。
【符号の説明】
【００７５】
１    便座
２    便蓋
３    後部装置収納部
２１，９０    アームガイド移動子
２３    後端ガイド移動子
２４    補助ガイド移動子
３１    後端ガイド
３２    補助ガイド
３３    Ｌガイド
３５    カバー体
４２    アームガイド
６１    主ガイド
７１    主ガイド移動子
８１    カム
８２    当接部
【図１】
2007000385.tif 000003
【図２】
2007000385.tif 000004
【図３】
2007000385.tif 000005
【図４】
2007000385.tif 000006
【図５】
2007000385.tif 000007
【図６】
2007000385.tif 000008
【図７】
2007000385.tif 000009
【図８】
2007000385.tif 000010
【図９】
2007000385.tif 000011
【図１０】
2007000385.tif 000012
【図１１】
2007000385.tif 000013
【図１２】
2007000385.tif 000014
【図１３】
2007000385.tif 000015
【図１４】
2007000385.tif 000016
【図１５】
2007000385.tif 000017
【図１６】
2007000385.tif 000018
【図１７】
2007000385.tif 000019
【図１８】
2007000385.tif 000020
【図１９】
2007000385.tif 000021
【図２０】
2007000385.tif 000022
【図２１】
2007000385.tif 000023